(57)【要約】【課題】  配管仮置き用と配管押え用の２分割一対のバンド片を有する配管吊バンドを用いた配管作業を簡易化する。【解決手段】  配管仮置き用のバンド片２ａ及び配管押え用バンド片２ｂの湾曲方向吊片２２近傍位置にこれらバンド片２ａ、２ｂの内径より径大にして該吊片２２上端の起立位置に至る同心円の径大部位２５をそれぞれ配置する。配管仮置き用のバンド片２ａにあっては、配管６を受入れる開口が拡大するから、配管６の仮置き載置が容易になり、配管押え用のバンド片２ｂにあっては、吊片２２の位置が配管６から離れるから、配管６の被嵌支持のための該バンド片２ｂのボルト４ａにおける起立幅が少なくてよく、このため起立幅を確保するためのナット４ｂの緩め幅を極小化でき、ナット４ａの緩めと締め戻しが容易になる。【選択図】  図１
2011163469.tif 000002
【特許請求の範囲】
【請求項１】
一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在とした配管吊バンドであって、上記配管仮置き用のバンド片における湾曲方向吊片近傍位置に該バンド片の内径より径大にして該吊片上端の起立位置に至る同心円の径大部位を配置してなることを特徴とする配管吊バンド。
【請求項２】
一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在とした２分割バンド片を有する配管吊バンドであって、上記配管押え用のバンド片における湾曲方向吊片近傍位置に該バンド片の内径より径大にして該吊片上端の起立位置に至る同心円の径大部位を配置してなることを特徴とする配管吊バンド。
【請求項３】
一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在とした２分割バンド片を有する配管吊バンドであって、上記配管仮置き用のバンド片及び配管押え用のバンド片における湾曲方向吊片近傍位置に該バンド片の内径より径大にして該吊片上端の起立位置に至る同心円の径大部位をそれぞれ配置してなることを特徴とする配管吊バンド。
【発明の詳細な説明】
【技術分野】
【０００１】
本発明は、天井スラブに配管を吊支持するに用いる配管吊バンドに関する。
【背景技術】
【０００２】
この種の配管吊バンドとして、本発明者の提案に係る下記特許文献１が知られており、これによれば、該配管吊バンドは、一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在としたものとされている。
【先行技術文献】
【特許文献】
【０００３】
【特許文献１】特開平１１−３０４０５２号公報
【発明の概要】
【発明が解決しようとする課題】
【０００４】
この場合、配管吊バンドを、上記連結自由端を連結し且つタンバックルとバンド片の吊片をボルトナットによって締着することによってこれらバンド片を一体化した出荷形態で現場に搬入使用するようにすることによって、現場での配管作業を、吊ボルトにタンバックルのナットを螺装し、該吊ボルトに配管吊バンドを設置して、連結自由端の連結を解除してバンド片を分離し、その配管仮置き用のバンド片に配管を仮置き載置した後に、配管押え用のバンド片を、ボルトを回動軸として回動して、双方の連結自由端を連結するように行うことによって、現場での配管作業を可及的に簡易化したものとすることができる。
【０００５】
しかし乍ら、この場合、配管仮置き用のバンド片は、安定した配管の仮置き載置を可能とするように、その角度を２２０°程度とする如くに、１８０°を大きく超える角度のものとされるから、その開口の幅は、配管の直径より縮小することになり、従って、吊ボルトに設置した複数の配管吊バンドの配管仮置き用のバンド片に対する配管の仮置き載置は、該縮小した開口を、配管バンドの弾性を利用するように弾発的に押し広げて該バンド片に対して強制的に圧入して、該複数の配管吊バンドに架設するように行う必要があるところ、該配管の仮置き載置の作業は、高所でなされる上、配管は一般に鋼製で重量が嵩むものとされるから、該配管の仮置き載置の作業が煩雑となり、これが、配管作業の作業効率を阻害する要因となる傾向がある。
【０００６】
また、配管押え用のバンド片は、その上記ボルトを回動軸とする回動を、上記配管仮置き用のバンド片に配管を仮置き載置した状態で行うことによって、該回動に際して、その吊片近傍と配管との衝接が生じるため、該衝接を回避するために、該バンド片の吊片近傍を、仮置き載置した配管の上方位置を超えてこれから離すように外側に向けて起立し、該起立状態で、その回動を行うことが必要となり、このため、上記ボルトに螺装したナットを大きく緩めて、吊片をボルトの軸長手方向に移動して、該ボルトを挿通した透孔、一般には上下の長孔の空隙を利用して吊片を外側に向けて立ち上げるようにこれを外側に起立する必要があるところ、一般にナットの緩めは、例えば指先でナットを多数回に亘って回転することによって行うとともに緩めたナットは再度吊片をボルト頭との間で挟持するように同様な締め戻しの締着を行うことが必要であるから、該ナット緩めと締め戻しの締着の作業が煩雑となり、同じくこれが、配管作業の作業効率を阻害する要因となる傾向がある。
【０００７】
本発明はかかる事情に鑑みてなされたもので、その解決課題とするところは、第１に、上記２分割一対のバンド片のうち一方の配管仮置き用のバンド片に対する配管の仮置き載置を可及的簡易になし得るようにして、配管作業の作業効率を可及的高度に確保した配管吊バンドを提供するにあり、第２に、同じく２分割一対のバンド片のうち他方の配管押え用のバンド片の回動を、上記ナットの緩めと締着の幅を可及的に極小化するも、配管との衝接を回避し得るようにして、同じく配管作業の作業効率を可及的高度に確保した配管吊バンドを提供するにあり、第３に、これら、配管仮置き用のバンド片に対する配管の仮置き載置を可及的簡易になし得るとともに配管押え用のバンド片の回動に際してナットの緩めと締着の幅を極小化するも、配管との衝接を回避し得るようにして、配管作業の作業効率を可及的高度に確保した配管吊バンドを提供するにある。
【課題を解決するための手段】
【０００８】
上記第１の課題に沿って請求項１に記載の発明は、上記配管仮置き用のバンド片に、その湾曲方向吊片近傍位置にバンド片の内径より径大として吊片の起立位置に至るようにした該バンド片と同心円の径大部位を配置して、配管仮置き用のバンド片の角度を、配管の仮置き載置の安定性を確保するものとする一方で、角度によって規制される該バンド片の開口の幅を拡大することによって、該バンド片に対する配管の仮置き載置を可及的簡易にしてスムーズになし得るものとして、配管作業の作業効率を可及的高度に確保した配管吊バンドを提供するように、これを、一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在とした配管吊バンドであって、上記配管仮置き用のバンド片における湾曲方向吊片近傍位置に該バンド片の内径より径大にして該吊片上端の起立位置に至る同心円の径大部位を配置してなることを特徴とする配管吊バンドとしたものである。
【０００９】
上記第２の課題に沿って請求項２に記載の発明は、上記配管押え用のバンド片に、同じく、その湾曲方向吊片近傍位置にバンド片の内径より径大として吊片の起立位置に至るようにした該バンド片と同心円の径大部位を配置して、配管押え用のバンド片の回動に際して、該バンド片に対してその吊片近傍における回動の軌跡を外側に離隔するように、配管仮置き用のバンド片に仮置き載置した配管との間に衝接回避用のスペースを配置することによって、該配管押え用のバンド片のボルトからの起立幅を可及的に大きく得られるようにし、該バンド片が配管の上部に衝接するのを防止するようにして、ナットの緩め幅と締め戻しの締着幅を可及的に極小化するも、該バンド片が配管に衝接するのを回避し得るものとし、同じく配管作業の作業効率を可及的高度に確保した配管吊バンドを提供するように、これを、一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在とした２分割バンド片を有する配管吊バンドであって、上記配管押え用のバンド片における湾曲方向吊片近傍位置に該バンド片の内径より径大にして該吊片上端の起立位置に至る同心円の径大部位を配置してなることを特徴とする配管吊バンドとしたものである。
【００１０】
上記第３の課題に沿って請求項３に記載の発明は、上記配管仮置き用のバンド片に上記径大部位を配置して、該バンド片の開口を拡大することによって、該バンド片に対する配管の仮置き載置を可及的簡易にしてスムーズになし得るものとするとともに配管押え用のバンド片に上記径大部位を配置して、上記ナットの緩め幅と締め戻しの締着幅を可及的に極小化するも、該バンド片が配管に衝接するのを回避し得るものとして、これら双方を備えることによって、配管作業の作業効率を可及的高度に確保した配管吊バンドを提供するように、これを、一方を１／２円以上の湾曲角度の配管仮置き用とし、他方を残余の湾曲角度の配管仮置き用とした２分割一対のバンド片を、その各上端に起立した吊片に挿通したボルトナットによって締着して別体又は配管仮置き用のバンド片の吊片に一体のタンバックルに吊支持し、配管仮置き用のバンド片によって配管を仮置き支持して配管押え用のバンド片を配管外周方向に回動することにより、その円周方向中間位置でこれらバンド片に形成した連結自由端を相互に連結して該２分割一対のバンド片による配管の被嵌支持を自在とした２分割バンド片を有する配管吊バンドであって、上記配管仮置き用のバンド片及び配管押え用のバンド片における湾曲方向吊片近傍位置に該バンド片の内径より径大にして該吊片上端の起立位置に至る同心円の径大部位をそれぞれ配置してなることを特徴とする配管吊バンドとしたものである。
【００１１】
本発明は、これらをそれぞれ発明の要旨として、上記課題解決の手段としたものである。
【発明の効果】
【００１２】
本発明は以上のとおりに構成したから、請求項１に記載の発明は、上記配管仮置き用のバンド片に、その湾曲方向吊片近傍位置にバンド片の内径より径大として吊片の起立位置に至るようにした該バンド片と同心円の径大部位を配置して、配管仮置き用のバンド片の角度を、配管の仮置き載置の安定性を確保するものとする一方で、角度によって規制される該バンド片の開口の幅を拡大することによって、該バンド片に対する配管の仮置き載置を可及的簡易にしてスムーズになし得るものとして、配管作業の作業効率を可及的高度に確保した配管吊バンドを提供することができる。
【００１３】
請求項２に記載の発明は、上記配管押え用のバンド片に、同じく、その湾曲方向吊片近傍位置にバンド片の内径より径大として吊片の起立位置に至るようにした該バンド片と同心円の径大部位を配置して、配管押え用のバンド片の回動に際して、該バンド片に対してその吊片近傍における回動の軌跡を外側に離隔するように、配管仮置き用のバンド片に仮置き載置した配管との間に衝接回避用のスペースを配置することによって、該配管押え用のバンド片のボルトからの起立幅を可及的に大きく得られるようにし、該バンド片が配管の上部に衝接するのを防止するようにして、ナットの緩め幅と締め戻しの締着幅を可及的に極小化するも、該バンド片が配管に衝接するのを回避し得るものとし、同じく配管作業の作業効率を可及的高度に確保した配管吊バンドを提供することができる。
【００１４】
請求項３に記載の発明は、上記配管仮置き用のバンド片に上記径大部位を配置して、該バンド片の開口を拡大することによって、該バンド片に対する配管の仮置き載置を可及的簡易にしてスムーズになし得るものとするとともに配管押え用のバンド片に上記径大部位を配置して、上記ナットの緩め幅と締め戻しの締着幅を可及的に極小化するも、該バンド片が配管に衝接するのを回避し得るものとして、これら双方を備えることによって、配管作業の作業効率を可及的高度に確保した配管吊バンドを提供することができる。
【図面の簡単な説明】
【００１５】
【図１】配管吊バンドの正面図である。
【図２】配管仮置き用のバンド片の正面図である。
【図３】配管仮置き用のバンド片の側面図である。
【図４】配管押え用のバンド片の正面図である。
【図５】配管押え用のバンド片の側面図である。
【図６】配管吊バンドの斜視図である。
【発明を実施するための形態】
【００１６】
以下図面の例に従って本発明を更に具体的に説明すれば、図１乃至図５においてＡは、鋼板にプレス加工を施すことによって形成した配管吊バンドであり、該配管吊バンドＡは、一方を１／２円以上の湾曲角度の配管仮置き用とし、他方を残余の湾曲角度の配管仮置き用とした２分割一対のバンド片２ａ、２ｂを、その各上端に起立した吊片２２に挿通したボルトナット４ａ、４ｂによって締着して別体又は配管仮置き用のバンド片２ａの吊片２２に一体のタンバックル１に吊支持し、配管仮置き用のバンド片２ａによって配管６を仮置き支持して配管押え用のバンド片２ｂを配管外周方向に回動することにより、その円周方向中間位置でこれらバンド片２ａ、２ｂに形成した連結自由端３を相互に連結して該２分割一対のバンド片２ａ、２ｂによる配管６の被嵌支持を自在としたものとしてあり、このとき、本例の配管吊バンドＡは、上記配管仮置き用のバンド片２ａ及び配管押え用のバンド片２ｂにおける湾曲方向吊片近傍位置に該バンド片２ａ、２ｂの内径より径大にして該吊片２２上端の起立位置に至る同心円の径大部位２５をそれぞれ配置したものとしてある。
【００１７】
配管吊バンドＡのバンド片２ａ、２ｂは、湾曲片２１と、該湾曲片２１上端の吊片２２と、該湾曲片２１先端の連結自由端３を備えて、例えば１．５ｍｍ程度の肉厚び鋼板にそれぞれプレス加工を施して形成して、例えば、内径を、半径３ｃｍ程度にして６ｃｍ程度としてある。
【００１８】
このとき、該配管吊バンドＡにおける配管仮置き用のバンド片２ａは、吊片２２によってタンバックル１に該バンド片２ａを吊支持し且つ連結自由端３を連結することによって該連結自由端３を部分的に重複した配管６の支持状態で、吊片２２位置から連結自由端３の先端までの湾曲角度を、例えば２２０°程度、配管押え用のバンド片２ｂは、例えば１４０°程度として、配管６の外周をカバーして、これを被嵌支持するようにしてある。このとき、上記タンバックル１による配管吊バンドＡの吊支持状態で配管仮置き用及び配管押え用のバンド片２ａ、２ｂの吊片２２間には１０°程度の空隙が生じるようにしてあるから、該空隙の角度を双方のバンド片２ａ、２ｂで吸収するように、各バンド片２ａ、２ｂは、例えば５°程度の角度を短寸化したものとしてあり、従って、本例の配管仮置き用のバンド片２ａは、上記配管支持の状態で２１５°程度、配管押え用のバンド片２ｂは１３５°程度の湾曲角度を備えるようにしてある一方、上記吊片２２間の空隙及び連結自由端３を除く湾曲片２１の角度は、配管仮置き用のバンド片２ａにあって、これを２００°弱の、例えば１９０°程度とし、配管押え用のバンド片２ｂにあって、１２０°弱の、例えば１１０°程度としてある。
【００１９】
各バンド片２ａ、２ｂの上端には、ボルト４ａを挿通するボルト孔２３を透設した吊片２２を上向きに起立してあり、本例にあって該ボルト孔２３は、上記配管仮置き用のバンド片２ａにあってはボルト４ａの、例えば６ｍｍ程度の軸に合せて７ｍｍ程度にこれより幾分径大化した円形のものとする一方、配管押え用のバンド片２ｂにあっては、上記配管仮置き用のバンド片２ａの吊片２２配置の上記ボルト孔２３とその上端位置を合せて、下端を該ボルト孔２３の下端より下方に向けて延長した、例えば幅を７ｍｍ程度、長さを１．３ｍｍ程度に長寸化して、ボルト４ａの挿通状態で該バンド片２ｂを外側に起立し得るように上下に長孔をなすものとしてある。
【００２０】
各バンド片２ａ、２ｂの連結自由端３は、連結によって相互に重合するように屈曲形成した段差重合片３１及び先端重合片３３と、上記段差重合片３１と先端重合片３３間に相互に噛合い係合するように配置した各１／２幅の切欠溝３２と、上記段差重合片３１と先端重合片３３の重合による該連結自由端３の連結に際して各バンド片２ａ、２ｂの湾曲片２１との径差を吸収し、本例にあってはバンド片２ａ、２ｂの内径に対して１ｍｍ程度の空隙を残すように径内に向けて先端重合片に突出配置した先端突起３４と、該連結自由端３の連結後に双方の外れ止めを行うように相互に嵌合係止する切起し突起３５とを備えたものとしてある。
【００２１】
このように形成した配管仮置き用のバンド片２ａ、配管押え用のバンド片２ｂには、本例にあってその双方に上記各バンド片２ａ、２ｂの内径より径大の円弧部をなすように径大部位２５を配置してある。該径大部位２５は、配管仮置き用のバンド片２ａ及び配管押え用のバンド片２ｂの上記各湾曲片２１の上方部分、即ち連結自由端３と逆側の端部側に該湾曲片２１の内径を部分的に径大化するようにしてその配置を行い、その上端に吊片２２を起立してある。このとき本例の径大部位２５は、配管仮置き用及び配管押え用のバンド片２ａ、２ｂに、その位置及び長さ（湾曲角度）を共通に配置してあり、本例にあって該径大部位２５は、湾曲片２１の先端から、例えば２０°程度の湾曲角度にして、これらバンド片２ａ、２ｂの上記半径３ｃｍに対して、その半径を３．２ｃｍ程度とすることによって、該径大部位２５において２ｍｍ程度の幅分を径大化してある。
【００２２】
径大部位２５を配置したことによって、配管仮置き用のバンド片２ａは、吊片２２下端から上記連結自由端３の先端まで２２０°、上記吊片２２間の空隙及び連結自由端を除く１９０°の、配管６の外径と等しい１８０°を超える湾曲角度を有することによって、その開口が配管６の外径より縮小したものとなるところ、該開口６を拡大、例えば、該開口を配管の外径に略等しいか、又はこれより僅かに小さい開口の幅とするように拡大することができ、例えばバンド片２ａの弾性に大きく抗して圧入することなく、配管６の仮置き載置を、該配管６の有する自重を利用して配管仮置き用のバンド片２ａに乗せるか、その後にやや上から押圧することによって、可及的簡易にしてスムーズに行うことが可能となる。
【００２３】
このとき、本例にあっては、更に、上記連結自由端３における先端重合片３３の配置を、バンド片２ａの内径に対して１ｍｍ程度の空隙を残すように配置したことによって、該空隙を加えると、上記吊片２２下端と連結自由端３の先端との開口を、配管６に対して合計３ｍｍ程度径大化することになるから、上記湾曲角度によって縮小した開口は、該配管６と等しいか又はこれを超える幅を有するものとなり、従って、本例にあっては該空隙の寄与によって配管６の仮置き載置は、該配管６を開口に乗せるようすれば、これを更に簡易に行うことができる。
【００２４】
また、径大部位２５を配置したことによって、配管押え用のバンド片２ｂは、その吊片２２の下端位置が２ｍｍ程度タンバックル１側の上方に移動するから、吊片２２近傍における回動の軌跡を外側に離隔して、配管仮置き用のバンド片２ａに仮置き載置した配管６との間に衝接回避用のスペースを配置することによって、該配管押え用のバンド片２ｂのボルト４ａからの外側への起立幅を縮小しても、該バンド片２ｂが配管６の上部に衝接するのを防止することができ、従って、該バンド片２ｂを外側に起立するに必要なナット４ｂの緩め幅を極小化することができる。また、本例にあっては、該バンド片２ｂの吊片２２に配置したボルト挿通孔２３を上下の長孔としたから、該長孔がバンド片２ｂの外側への起立に寄与する結果、上記配管作業における上記ナット４ｂの緩め幅と締着時の締め戻しの締着幅を更に極小化することができる。
【００２５】
以上のように形成した本例の配管吊バンドＡは、各バンド片２ａ、２ｂの連結自由端３を相互に連結し且つタンバックル１とバンド片２ａ、２ｂの吊片２２を、配管仮置き用のバンド片２ａにおける吊片２２側にボルト４ａのボルト頭を、配管押え用のバンド片２ｂにおける吊片２２側にナット４ｂを配置して、該ボルトナット４ａ、４ｂによって仮止め状に締着するとともにタンバックル１を配管吊バンドＡの内側に回動収納するように配置した、バンド片一体化の出荷形態で現場に搬入使用するようにしてある。現場での配管作業は、配管吊バンドＡの外側にタンバックル１を回転して脱出し、図示省略の吊ボルトに該タンバックル１の回転ナット１１を螺装することによって、複数の吊ボルトに対して複数の配管吊バンドＡを吊支持した後に、ボルトナット４ａ、４ｂのナット４ｂをやや緩めて、ボルト４ａを回動軸として配管押え用のバンド片２ｂを回動し、双方のバンド片２ａ、２ｂにおける連結自由端３の連結を解除して、配管押え用のバンド片２ｂを配管仮置き用のバンド片２ａから分離し、該複数の配管吊バンドＡの各配管仮置き用のバンド片２ａに対して配管６を架設する如くに仮置き載置し、その後に配管押え用のバンド片２ｂを、配管６を被嵌支持するようにボルト４ａを回動軸として、配管外周方向に回動し、双方の連結自由端３を連結し、該連結自由端３の連結状態で、配管押え用のバンド片２ｂの吊片２２側に位置するナット４ａを締め戻して、ボルトナット４ａ、４ｂによる締着固定を行うものとしてあり、このとき連結自由端３の連結は、双方のバンド片２ａ、２ｂの段差重合片３１にそれぞれ先端重合片３３を重合するとともに双方の切欠溝３２を噛合い係合し、その切起し突起３５を他方のバンド片２ａ又は２ｂの段差重合片３１及び先端重合片３３に引掛け状に係合することによって、これを行うものとしてある。
【００２６】
このとき本例の配管吊バンドＡは、その上記配管仮置き用のバンド片２ａの径大部位２５によって、該バンド片２ａに対する配管６の上記架設状の仮置き載置を可及的に簡易且つスムーズに行うことができるとともに該仮置き載置を安定して行うことができ、また、配管押え用のバンド片２ｂの径大部位２５によって、ナット４ｂの緩め幅と締め戻しの締着幅を極小化でき、従って、配管作業の作業効率を可及的高度に確保することができる。
【００２７】
図中１２は該回転ナット１１の落下防止用のナット抜止め、２４は吊片２２のボルト４ａの回転止め、２６はバンド片２ａ、２ｂの補強リブをそれぞれ示す。
【００２８】
図示した例は以上のとおりとしたが、タンバックルを、配管仮置き用のバンド片の吊片に一体に形成したもの、即ち、タンバックルの支持片と該吊片を一体化して双方を一体に形成したものとすること、上記配管吊バンドの配管仮置き用のバンド片又は配管押え用のバンド片の一方に、その湾曲方向吊片近傍位置に該バンド片の内径より径大にして該吊片上端の起立位置に至る同心円の径大部位を配置するようにして、配管の仮置き載置を容易化し又はナットの緩め幅と締め戻しの締着幅を小さくすることを含めて、本発明の実施に当って、配管吊バンド、配管仮置き用のバンド片、配管押え用のバンド片、径大部位、タンバックル、吊片、ボルト孔等の各具体的形状、構造、材質、これらの関係、これらに対する付加等は、上記発明の要旨に反しない限り様々な形態のものとすることができる。
【符号の説明】
【００２９】
Ａ  配管吊バンド
１  タンバックル
１１  回転ナット
１２  ナット抜止め
２ａ  配管仮置き用のバンド片
２ｂ  配管押え用のバンド片
２１  湾曲片
２２  吊片
２３  ボルト孔
２４  回転止めリブ
２５  径大部位
２６  補強リブ
３  連結自由端
３１  段差重合片
３２  切欠溝
３３  先端重合片
３４  先端突起
３５  切起し突起
４ａ  ボルト
４ｂ  ナット
５  吊ボルト
６  配管
【図１】
2011163469.tif 000003
【図２】
2011163469.tif 000004
【図３】
2011163469.tif 000005
【図４】
2011163469.tif 000006
【図５】
2011163469.tif 000007
【図６】
2011163469.tif 000008